【手続補正書】
【提出日】平成21年2月2日(2009.2.2)
【手続補正１】
【補正対象書類名】特許請求の範囲
【補正対象項目名】全文
【補正方法】変更
【補正の内容】
【特許請求の範囲】
【請求項１】
第１及び第２の光通信装置の間で通信光を伝送して第１及び第２のデータを伝送する光通信システムにおいて、
前記第１の光通信装置は、
前記第１のデータで搬送波を変調して変調信号を生成する変調回路と、
前記通信光を送出する発光素子を前記変調信号で駆動することにより、前記通信光を前記第１のデータで変調する第１の駆動回路と、
前記第２のデータをデータ処理して、所定周波数帯域のデータ列を生成するデータ処理回路と、
前記発光素子を前記データ列で駆動することにより、前記通信光を前記第２のデータで変調する第２の駆動回路とを備え、
前記変調回路、前記データ処理回路は、
前記通信光の周波数帯域を帯域分割し、周波数の低い側の帯域及び周波数の高い側の帯域にそれぞれ前記第１及び第２のデータを割り当てるように、前記変調信号及び前記データ列を生成する
光通信システム。
【請求項２】
前記第１の駆動回路は、
前記第２の駆動回路に比して、小振幅により前記通信光を変調する
請求項１に記載の光通信システム。
【請求項３】
前記第１の光通信装置は、
前記通信光の光量を検出する光量検出用受光素子と、
前記光量検出用受光素子の出力信号から前記変調信号の成分を抽出するローパスフィルタとを有し、
前記第１の駆動回路は、
前記ローパスフィルタの出力信号に基づいて、前記発光素子の特性の変化を補正する
請求項１に記載の光通信システム。
【請求項４】
前記第２の光通信装置は、
前記通信光を受光する受光素子と、
前記受光素子の出力信号を帯域制限して、前記変調信号を抽出するローパスフィルタと、
前記ローパスフィルタの出力信号を信号処理して前記第１のデータを再生する第１の信号処理回路と、
前記受光素子の出力信号を帯域制限して、前記データ列を抽出するハイパスフィルタと、
前記ハイパスフィルタの出力信号を信号処理して前記第２のデータを再生する第２の信号処理回路とを有する
請求項１に記載の光通信システム。
【請求項５】
前記データ処理回路は、
多値データにより前記データ列を生成し、
前記第２の信号処理回路は、
前記データ列の論理値に対応するしきい値で前記ハイパスフィルタの出力信号をそれぞれ判定する複数の比較回路と、
前記複数の比較回路のうちの少なくとも１つの比較回路の出力信号から、前記データ列のクロックを再生するクロック再生回路と、
前記クロックで、前記複数の比較回路の出力信号をそれぞれラッチし、ラッチ結果を処理して前記第２のデータを出力するデータ処理回路とを有する
請求項４に記載の光通信システム。
【請求項６】
前記第２の信号処理回路は、
前記ローパスフィルタの出力信号に基づいて、前記しきい値を設定するしきい値設定回路を有する
請求項５に記載の光通信システム。
【請求項７】
第１の光通信装置から第２の光通信装置に第１の通信光を伝送して第１のデータを伝送し、前記第２の光通信装置から前記第１の光通信装置に第２の通信光を伝送して第２のデータを伝送する光通信システムにおいて、
前記第１の光通信装置は、
前記第１のデータで搬送波を変調して変調信号を生成する変調回路と、
前記第１の通信光を送出する発光素子を前記変調信号で駆動することにより、前記第１の通信光を前記第１のデータで変調する第１の駆動回路とを有し、
前記第２の光通信装置は、
前記第２のデータをデータ処理して、所定周波数帯域のデータ列を生成するデータ処理回路と、
前記第２の通信光を送出する発光素子を前記データ列で駆動することにより、前記第２の通信光を前記第２のデータで変調する第２の駆動回路とを備え、
前記変調回路、前記データ処理回路は、
前記第１及び第２の通信光の周波数帯域を帯域分割し、周波数の低い側の帯域及び周波数の高い側の帯域に、それぞれ前記第１及び第２のデータを割り当てるように、前記変調信号及び前記データ列を生成する
光通信システム。
【請求項８】
前記第１の光通信装置は、
前記第１の通信光の光量を検出する光量検出用受光素子を有し、
前記第１の駆動回路は、
前記光量検出用受光素子の出力信号に基づいて、前記第１の通信光を送出する発光素子の特性の変化を補正する
請求項７に記載の光通信システム。
【請求項９】
前記第２の光通信装置は、
前記第１の通信光を受光する第１の受光素子と、
前記第１の受光素子の出力信号を帯域制限して、前記変調信号を抽出するローパスフィルタと、
前記ローパスフィルタの出力信号を信号処理して前記第１のデータを再生する第１の信号処理回路とを有し、
前記第１の光通信装置は、
前記第２の通信光を受光する第２の受光素子と、
前記第２の受光素子の出力信号を帯域制限して、前記データ列を抽出するハイパスフィルタと、
前記ハイパスフィルタの出力信号を信号処理して前記第２のデータを再生する第２の信号処理回路とを有する
請求項８に記載の光通信システム。
【請求項１０】
通信対象に向けて通信光を送出し、前記通信対象に第１及び第２のデータを送信する光通信装置において、
前記第１のデータで搬送波を変調して変調信号を生成する変調回路と、
前記通信光を送出する発光素子を前記変調信号で駆動することにより、前記通信光を前記第１のデータで変調する第１の駆動回路と、
前記第２のデータをデータ処理して、所定周波数帯域のデータ列を生成するデータ処理回路と、
前記発光素子を前記データ列で駆動することにより、前記通信光を前記第２のデータで変調する第２の駆動回路とを備え、
前記変調回路、前記データ処理回路は、
前記通信光の周波数帯域を帯域分割し、周波数の低い側の帯域及び周波数の高い側の帯域にそれぞれ前記第１及び第２のデータを割り当てるように、前記変調信号及び前記データ列を生成する
光通信装置。
【請求項１１】
前記通信光の光量を検出する光量検出用受光素子と、
前記光量検出用受光素子の出力信号から前記変調信号の成分を抽出するローパスフィルタとを有し、
前記第１の駆動回路は、
前記ローパスフィルタの出力信号に基づいて、前記発光素子の特性の変化を補正する
請求項１０に記載の光通信装置。
【請求項１２】
通信対象から送出された通信光を受光し、前記通信対象から送出された第１及び第２のデータを受信する光通信装置において、
前記通信対象は、
前記第１のデータで搬送波を変調して変調信号を生成する変調回路と、
前記通信光を送出する発光素子を前記変調信号で駆動することにより、前記通信光を前記第１のデータで変調する第１の駆動回路と、
前記第２のデータをデータ処理して、所定周波数帯域のデータ列を生成するデータ処理回路と、
前記発光素子を前記データ列で駆動することにより、前記通信光を前記第２のデータで変調する第２の駆動回路とを備え、
前記変調回路、前記データ処理回路は、
前記通信光の周波数帯域を帯域分割し、周波数の低い側の帯域及び周波数の高い側の帯域にそれぞれ前記第１及び第２のデータを割り当てるように、前記変調信号及び前記データ列を生成し、
前記光通信装置は、
前記通信光を受光する受光素子と、
前記受光素子の出力信号を帯域制限して出力するローパスフィルタと、
前記ローパスフィルタの出力信号を信号処理して前記第１のデータを再生する第１の信号処理回路と、
前記受光素子の出力信号を帯域制限して出力するハイパスフィルタと、
前記ハイパスフィルタの出力信号を信号処理して前記第２のデータを再生する第２の信号処理回路とを有する
光通信装置。
【請求項１３】
前記第２の信号処理回路は、
所定のしきい値で前記ハイパスフィルタの出力信号をそれぞれ判定する複数の比較回路と、
前記複数の比較回路のうちの少なくとも１つの比較回路の出力信号から、クロックを再生するクロック再生回路と、
前記クロックで、前記複数の比較回路の出力信号をそれぞれラッチし、ラッチ結果を処理して前記第２のデータを出力するデータ処理回路と、
前記ローパスフィルタの出力信号に基づいて、前記しきい値を設定するしきい値設定回路を有する
請求項１２に記載の光通信装置。
【請求項１４】
第１及び第２の光通信装置の間で通信光を伝送して第１及び第２のデータを伝送する光通信方法において、
前記第１のデータで搬送波を変調して変調信号を生成する変調のステップと、
前記通信光を送出する発光素子を前記変調信号で駆動することにより、前記通信光を前記第１のデータで変調する第１の駆動のステップと、
前記第２のデータをデータ処理して、所定周波数帯域のデータ列を生成するデータ処理のステップと、
前記発光素子を前記データ列で駆動することにより、前記通信光を前記第２のデータで変調する第２の駆動のステップとを有し、
前記変調のステップ、前記データ処理のステップは、
前記通信光の周波数帯域を帯域分割し、周波数の低い側の帯域及び周波数の高い側の帯域にそれぞれ前記第１及び第２のデータを割り当てるように、前記変調信号及び前記データ列を生成する
光通信方法。
【請求項１５】
前記通信光の光量を検出する光量検出のステップと、
前記光量検出のステップによる検出結果に基づいて、前記発光素子の特性の変化を補正する光量補正のステップとを有する
請求項１４に記載の光通信方法。
【請求項１６】
前記通信光を受光する受光のステップと、
前記受光のステップによる受光結果を帯域制限して、前記変調信号を抽出する変調信号抽出のステップと、
前記変調信号抽出のステップによる出力信号を信号処理して前記第１のデータを再生する第１の信号処理ステップと、
前記受光のステップによる受光結果を帯域制限して、前記データ列を抽出するデータ列抽出のステップと、
前記データ列抽出のステップによる出力信号を信号処理して前記第２のデータを再生する第２の信号処理ステップとを有し、
前記第２の信号処理ステップは、
所定のしきい値で前記ハイパスフィルタの出力信号をそれぞれ判定する複数の比較ステップと、
前記複数の比較ステップのうちの少なくとも１つの比較ステップの出力信号から、前記データ列のクロックを再生するクロック再生のステップと、
前記クロックで、前記複数の比較ステップの出力信号をそれぞれラッチし、ラッチ結果を処理して前記第２のデータを出力する受光側のデータ処理ステップと、
前記変調信号抽出のステップに基づいて、前記しきい値を設定するしきい値設定ステップとを有する
請求項１５に記載の光通信方法。
【請求項１７】
第１の光通信装置から第２の光通信装置に第１の通信光を伝送して第１のデータを伝送し、前記第２の光通信装置から前記第１の光通信装置に第２の通信光を伝送して第２のデータを伝送する光通信方法において、
前記第１の光通信装置は、
前記第１のデータで搬送波を変調して変調信号を生成する変調のステップと、
前記第１の通信光を送出する発光素子を前記変調信号で駆動することにより、前記第１の通信光を前記第１のデータで変調する第１の駆動ステップとを有し、
前記第２の光通信装置は、
前記第２のデータをデータ処理して、所定周波数帯域のデータ列を生成するデータ処理のステップと、
前記発光素子を前記データ列で駆動することにより、前記第２の通信光を前記第２のデータで変調する第２の駆動のステップとを備え、
前記変調のステップ、前記データ処理のステップは、
前記第１及び第２の通信光の周波数帯域を帯域分割し、周波数の低い側の帯域及び周波数の高い側の帯域に、それぞれ前記第１及び第２のデータを割り当てるように、前記変調信号及び前記データ列を生成する
光通信方法。
【請求項１８】
前記第１の光通信装置は、
前記第１の通信光の光量を検出する光量検出のステップと、
前記光量検出のステップによる受光結果に基づいて、前記第１の通信光を送出する発光素子の特性の変化を補正する補正のステップとを有する
請求項１７に記載の光通信方法。